(57)【特許請求の範囲】
【請求項１】
電動機と電源のインターロックを内蔵する本体と、この本体に着脱自在に載置されカッターを備えた容器と、前記容器を載置すると動作し前記インターロックを解除する容器検知体とを有し、前記容器は、コップを分解できないように固定しているコップ台と、前記カッターを回転自在に軸支すると共に前記コップ台に着脱自在に設けられたカッター台とで構成し、前記容器検知体は前記コップ台により動作するミキサー。
【請求項２】
電動機と電源のインターロックを内蔵する本体と、この本体に着脱自在に載置されカッターを備えた容器と、前記容器を載置すると動作し前記インターロックを解除する容器検知体とを有し、前記容器は、本体に載置されると共に上面に凹部を有するコップ台と、前記コップ台に環状のパッキンを挟んで着脱自在に取り付けられるコップとで構成し、前記コップ台には、前記凹部内に設けられ、指等で押されないようにガードされた先端を有する中継部品を遊嵌し、前記容器を組み立てたときに、前記凹部内に入り込むと共に前記先端を押し下げる凸部を前記パッキンに設け、前記容器検知体が、前記中継部品により動作するようにしたミキサー。
【請求項３】
電動機と電源のインターロックを内蔵する本体と、この本体に着脱自在に載置されカッターを備えた容器と、前記容器を載置すると動作し前記インターロックを解除する容器検知体とを有し、前記容器は、本体に載置されると共に受け溝を有するコップ台と、腕部を有し、前記コップ台にバヨネット嵌合で着脱自在に取り付けられるコップとで構成し、前記コップ台には、前記受け溝内に設けられ、指等で押されないようにガードされた先端を有する中継部品を遊嵌し、前記容器を組み立てたときに、前記腕部が前記先端を押し下げることにより、前記中継部品が前記容器検知体を動作させるミキサー。
【請求項４】
電動機と電源のインターロックを内蔵する本体と、この本体に着脱自在に載置されカッターを備えた容器と、前記容器を載置すると動作し前記インターロックを解除する容器検知体とを有し、前記容器は、本体に載置されると共に内周面に雌ネジを有するコップ台と、外周面に雄ネジを有し前記コップ台にネジ嵌合で着脱自在に取り付けられるコップとで構成し、前記コップ台には、前記雌ネジ部に設けた切り欠き内に設けられ、指等で押されないようにガードされた先端を有する中継部品を遊嵌し、前記容器を組み立てたときに、前記雌ネジが前記先端を押し下げることにより、前記中継部品が前記容器検知体を動作させるミキサー。
【請求項５】
電動機を内蔵する本体と、この本体上に設けたツノ部に着脱自在に嵌合しカッターを備えたコップ台にコップを着脱自在に取り付けて成る容器を有し、前記コップ台には前記コップを取り付けていない状態では前記ツノ部に当接して嵌合不能となる方向に付勢して遊嵌された干渉部品を備え、かつこの干渉部品は、前記コップを前記コップ台に取り付けると押しのけられて前記ツノ部に当接しない位置に移動するように構成したミキサー。
【発明の詳細な説明】
【０００１】
【発明の属する技術分野】
本発明は、一般家庭用のミキサーに関するものである。
【０００２】
【従来の技術】
従来のミキサーについて、実公昭６２−４５６２５号公報に記載されたものを例に説明する。従来のミキサーを示すものである図１６、図１７において、１は電動機（図示せず）を内蔵する本体で、上部に設けたツノ２の部分にコップ台３を着脱自在に載置していた。コップ台３にはカッター４を回転自在に軸支しているカッター台５を挟んでコップ６をネジ嵌合で着脱自在に取り付けて容器を構成していた。７はコップ台３をツノ２の部分に載置するとコップ台３に設けたリブ８に押されて下動する容器検知体で、容器検知体７が下動すると本体１に内蔵された電動機の電源のインターロック（図示せず）を解除するように構成されていた。
【０００３】
この構成により、本体１に容器を載せない状態では、電動機の電源がインターロックされたままで回転しないようにしていた。
【０００４】
【発明が解決しようとする課題】
しかしながら、上記のように構成された従来のミキサーは、本体１にコップ６を取り付けていない状態のコップ台３を載せてもインターロックが解除され電源を入れることができるという課題を有していた。
【０００５】
本発明は、上記の従来の課題を解決するもので、コップ無しで電源が入れられないミキサーを提供することを目的とする。
【０００６】
【課題を解決するための手段】
この課題を解決するために本発明のミキサーは、電動機と電源のインターロックを内蔵する本体と、この本体に着脱自在に載置されカッターを備えた容器と、前記容器を載置すると動作し前記インターロックを解除する容器検知体とを有し、前記容器は、コップを分解できないように固定しているコップ台と、前記カッターを回転自在に軸支すると共に前記コップ台に着脱自在に設けられたカッター台とで構成し、前記容器検知体は前記コップ台により動作するものである。
【０００７】
これにより、容器よりカッター台を取り外して清掃ができ、かつコップとコップ台は分解不能なためコップ台単体の状態にならず、またカッター台を単体で本体に載せても容器検知体は動作せず、インターロックが解除せず電源を入れられないという作用を有する。
【０００８】
【発明の実施の形態】
本発明の請求項１に記載の発明は、電動機と電源のインターロックを内蔵する本体と、この本体に着脱自在に載置されカッターを備えた容器と、前記容器を載置すると動作し前記インターロックを解除する容器検知体とを有し、前記容器は、コップを分解できないように固定しているコップ台と、前記カッターを回転自在に軸支すると共に前記コップ台に着脱自在に設けられたカッター台とで構成し、前記容器検知体は前記コップ台により動作するようにしており、容器よりカッター台を取り外して清掃ができ、かつコップとコップ台は分解不能なためコップ台単体の状態にならず、またカッター台を単体で本体に載せても容器検知体は動作せず、インターロックが解除せず電源を入れられないという作用を有する。
【０００９】
本発明の請求項２に記載の発明では、電動機と電源のインターロックを内蔵する本体と、この本体に着脱自在に載置されカッターを備えた容器と、前記容器を載置すると動作し前記インターロックを解除する容器検知体とを有し、前記容器は、本体に載置されると共に上面に凹部を有するコップ台と、前記コップ台に環状のパッキンを挟んで着脱自在に取り付けられるコップとで構成し、前記コップ台には、前記凹部内に設けられ、指等で押されないようにガードされた先端を有する中継部品を遊嵌し、前記容器を組み立てたときに、前記凹部内に入り込むと共に前記先端を押し下げる凸部を前記パッキンに設け、前記容器検知体が、前記中継部品により動作するようにしており、コップ台を単体で本体に載せても容器検知体が動作せずインターロックが解除しないため電源を入れられないという作用を有する。
【００１０】
本発明の請求項３に記載の発明は、電動機と電源のインターロックを内蔵する本体と、この本体に着脱自在に載置されカッターを備えた容器と、前記容器を載置すると動作し前記インターロックを解除する容器検知体とを有し、前記容器は、本体に載置されると共に受け溝を有するコップ台と、腕部を有し、前記コップ台にバヨネット嵌合で着脱自在に取り付けられるコップとで構成し、前記コップ台には、前記受け溝内に設けられ、指等で押されないようにガードされた先端を有する中継部品を遊嵌し、前記容器を組み立てたときに、前記腕部が前記先端を押し下げることにより、前記中継部品が前記容器検知体を動作させるようにしており、コップ台を単体で本体に載せても容器検知体が動作せずインターロックが解除しないため電源を入れられないという作用を有する。
【００１１】
本発明の請求項４に記載の発明は、電動機と電源のインターロックを内蔵する本体と、この本体に着脱自在に載置されカッターを備えた容器と、前記容器を載置すると動作し前記インターロックを解除する容器検知体とを有し、前記容器は、本体に載置されると共に内周面に雌ネジを有するコップ台と、外周面に雄ネジを有し前記コップ台にネジ嵌合で着脱自在に取り付けられるコップとで構成し、前記コップ台には、前記雌ネジ部に設けた切り欠き内に設けられ、指等で押されないようにガードされた先端を有する中継部品を遊嵌し、前記容器を組み立てたときに、前記雌ネジが前記先端を押し下げることにより、前記中継部品が前記容器検知体を動作させるようにしており、コップ台を単体で本体に載せても容器検知体が動作せずインターロックが解除しないため電源を入れられないという作用を有する。
【００１２】
本発明の請求項５に記載の発明は、電動機を内蔵する本体と、この本体上に設けたツノ部に着脱自在に嵌合しカッターを備えたコップ台にコップを着脱自在に取り付けて成る容器を有し、前記コップ台には前記コップを取り付けていない状態では前記ツノ部に当接して嵌合不能となる方向に付勢して遊嵌された干渉部品を備え、かつこの干渉部品は、前記コップを前記コップ台に取り付けると押しのけられて前記ツノ部に当接しない位置に移動するように構成したミキサーであり、コップ台単体では本体に嵌合できず、かつ本体側には必ずしもインターロックを設ける必要がなく安価な構成が得られるという作用を有する。
【００１３】
【実施例】
（参考例１）
以下、本発明の第１の参考例について、図１、図２により説明する。図１、図２において、９は電動機（図示せず）と電源のインターロック（図示せず）を内蔵し駆動コネクタ１２を有する本体で、上部に設けたツノ１０の部分にコップ台１１を着脱自在に載置している。コップ台１１にはカッター１３と従動コネクタ１４を回転自在に軸支しているカッター台１５およびパッキン１６を挟み込んでガラスまたは樹脂製のコップ１７をネジ嵌合で着脱自在に取り付けて容器を構成している。１８は容器を本体９に載置するとカッター台１５に設けた環状のリブ１９に押されて下動する容器検知体で、容器検知体１９が下動すると本体９に内蔵された電源のインターロックを解除するように構成されている。
【００１４】
なお、容器検知体１９は指等が入らない狭い部分に設けており上向きに付勢されているが、この力は容器の自重により下動できるように設定されており、また電源のインターロックは、従来例のような機械的に電源スイッチを押せなくするものであっても、電源スイッチに直列に接続された安全スイッチでもよい。
【００１５】
つぎに本参考例の作用について説明する。上記のように構成されたミキサーにおいて、コップ台１１を単体で本体９上のツノ１０の部分に載せても容器検知体１８は動作せず電源を入れることができずコップ台１１単体での運転を防止することができる。
【００１６】
（実施例１）
つぎに、本発明の第１の実施例について説明する。図３、図４に示す実施例では、２０は電動機（図示せず）と電源のインターロック（図示せず）を内蔵し駆動コネクタ２１を有する本体で、上部に設けたツノ２２の部分にコップ台２３を着脱自在に載置している。コップ台２３にはガラスまたは樹脂製のコップ２８を分解できないように固定しており、カッター２４と従動コネクタ２５を回転自在に軸支しているカッター台２６をパッキン２７を挟んでコップ台２３にネジ方式で着脱自在に取り付けて容器を構成している。２９はコップ台２３をツノ２２の部分に載置するとコップ台２３に設けた放射状のリブ３０に押されて下動する容器検知体で、容器検知体２９が下動すると本体２０に内蔵された電源のインターロックを解除するように構成されている。
【００１７】
そして上記のように構成されたミキサーにおいては、容器からカッター台２６を取り外して清掃ができ、かつコップ２８とコップ台２３は分離できないためコップ台２３単体の状態にならず、またカッター台２６を単体で本体２０に載せても容器検知体２９は動作せず、インターロックが解除せず電源を入れることができない。
【００１８】
（実施例２）
つぎに、本発明の第２の実施例について説明する。図５、図６に示す実施例では、３１は電動機（図示せず）と電源のインターロック（図示せず）を内蔵し駆動コネクタ３２を有する本体で、上部に設けたツノ３３の部分にコップ台３４を着脱自在に載置している。コップ台３４にはカッター３６と従動コネクタ３７を回転自在に軸支し、環状のパッキン３８を挟み込んでガラスまたは樹脂製のコップ３５をネジ嵌合で着脱自在に取り付けて容器を構成している。コップ台３４には上面に環状の溝である凹部３９を設けるとともに、その下方に環状の中継部品４１を上下動可能に取り付けており、中継部品４１の上面には凹部３９内にまで突出する部分的な突起物である先端４０を設けている。一方、パッキン３８には凹部３９内に入り込む環状の凸部４２を設けており、容器を組み立てると凸部４２が先端４０を押し下げ中継部品４１は下限位置に固定される。４３は容器を本体３１上に載置すると下限位置に固定された中継部品４１に押されて下動する容器検知体で、容器検知体４３が下動すると本体３１に内蔵された電源のインターロックを解除するように構成されている。
【００１９】
そして上記のように構成されたミキサーにおいては、コップ台３４を単体で本体３１のツノ３３の部分に載せても中継部品４１は下限位置に固定されておらず上方に逃げるため、容器検知体４３が下動せずインターロックが解除しないため電源を入れることができない。また、中継部品４１の先端４０は、凹部３９の内に設けているため、指等で押されないようガードされており安全である。
【００２０】
（実施例３）
つぎに、本発明の第３の実施例について説明する。図７〜図９に示す実施例では、４４は電動機（図示せず）と電源のインターロック（図示せず）を内蔵し駆動コネクタ４５を有する本体で、上部に設けたツノ４６の部分にコップ台４７を着脱自在に載置している。コップ台４７にはカッター４８と従動コネクタ４９を回転自在に軸支し、パッキン５０を挟み込んでガラスまたは樹脂製のコップ５１をバヨネット嵌合で着脱自在に取り付けて容器を構成している。５２はバヨネット嵌合のためにコップ台４７側に設けた受け溝、５３はコップ５１側に設けた腕部である。また、コップ台４７には受け溝５２の下方に環状の中継部品５４を上下動可能に取り付けており、中継部品５４の上面には受け溝５２内にまで突出する部分的な突起物である先端５５を設けており、容器を組み立てるとコップ５１の腕部５３が先端５５を押し下げ中継部品５４は下限位置に固定される。５６は容器を本体４４上に載置すると下限位置に固定された中継部品５４に押されて下動する容器検知体で、容器検知体５６が下動すると本体４４に内蔵された電源のインターロックを解除するように構成されている。
【００２１】
そして上記のように構成されたミキサーにおいては、コップ台４７を単体で本体４４のツノ４６の部分に載せても中継部品５４は下限位置に固定されておらず上方に逃げるため、容器検知体５６が下動せずインターロックが解除しないため電源を入れることができない。また、中継部品５４の先端５５は、受け溝５２の内に設けているため、指等で押されないようガードされており安全である。
【００２２】
（実施例４）
つぎに、本発明の第４の実施例について説明する。図１０〜図１２に示す実施例では、５７は電動機（図示せず）と電源のインターロック（図示せず）を内蔵し駆動コネクタ５８を有する本体で、上部に設けたツノ５９の部分にコップ台６０を着脱自在に載置している。コップ台６０にはカッター６１と従動コネクタ６２を回転自在に軸支し、パッキン６３を挟み込んでガラスまたは樹脂製のコップ６４をネジ嵌合で着脱自在に取り付けて容器を構成している。６５はコップ台６０の内周面の雌ネジ、６６はコップ６４の外周面の雄ネジであり、雌ネジ６５の部分には切り欠き６７を設けるとともに、その下方に環状の中継部品６８を上下動可能に取り付けており、中継部品６８の上面には切り欠き６７内にまで突出する部分的な突起物である先端６９を設けている。そして、容器を組み立てるとコップ６４の雄ネジ６６が先端６９を押し下げ中継部品６８は下限位置に固定される。７０は容器を本体５７上に載置すると下限位置に固定された中継部品６８に押されて下動する容器検知体で、容器検知体７０が下動すると本体５７に内蔵された電源のインターロックを解除するように構成されている。
【００２３】
そして上記のように構成されたミキサーにおいては、コップ台６０を単体で本体５７のツノ５９の部分に載せても中継部品６８は下限位置に固定されておらず上方に逃げるため、容器検知体７０が下動せずインターロックが解除しないため電源を入れることができない。また、中継部品６８の先端６９は、切り欠き６７の内に設けているため、指等で押されないようガードされており安全である。
【００２４】
なお、本実施例では雌ネジ６５の部分に設けた切り欠き６７は開口していないが、開口していてもよい。
【００２５】
（実施例５）
つぎに、本発明の第５の実施例について説明する。図１３〜図１５に示す実施例では、７１は電動機（図示せず）と電源のインターロック（図示せず）を内蔵し駆動コネクタ７２を有する本体で、上部に設けたツノ７３の部分にコップ台７４を着脱自在に載置している。コップ台７４にはカッター７５と従動コネクタ７６を回転自在に軸支し、パッキン７７を挟み込んでガラスまたは樹脂製のコップ７８をネジ嵌合で着脱自在に取り付けて容器を構成している。コップ台７４には環状の軸部７９を中心にしてコップ台７４に設けた切り欠き８２の中を揺動する干渉部品８０が取り付けられている。干渉部品８０はバネ８１により内側に付勢されていて図１５に示すようにコップ７８を取り付けていない状態では干渉部品８０がツノ７３に当接して嵌合できないが、コップ７８を取り付けるとコップ７８のネジ部に押しのけられてツノ７３に当接しない位置に移動する。８３は容器を本体７１上に載置するとコップ台７４に設けた放射状のリブ８４に押されて下動する容器検知体で、容器検知体８３が下動すると本体７１に内蔵された電源のインターロックを解除するように構成されている。
【００２６】
そして上記のように構成されたミキサーにおいては、干渉部品８０の作用によりコップ台７４を単体で本体７１上に載せることができず、容器検知体８３が下動せずインターロックが解除しないため電源を入れることができない。また、干渉部品８０は、切り欠き８２の内に設けているため、指等で押されないようガードされており安全である。
【００２７】
なお、本実施例では本体７１にインターロックを内蔵しているが、コップ台７４が単体では本体７１に嵌合できず、電源が入り電動機が回ったとしてもカッター７５に回転が伝わらないことから、必ずしもインターロックを設ける必要がなくこの場合には本体側の構成を簡略化して安価なミキサーが得られる。
【００２８】
【発明の効果】
請求項１記載の発明によれば、本体に電源のインターロックを設け、容器をコップと一体化したコップ台とカッター台により構成し、コップ台によりインターロックを解除するため、コップ台単体の状態になることがなく、またカッター台を単体で本体に載せても電源が入らず、かつ容器からカッター台を取り外して清掃ができる安全でかつ容器の分解清掃が可能なミキサーを簡易に構成できるという効果が得られる。また、コップの形状が単純で薄肉部分がないためガラス製のコップにも適している。
【００２９】
請求項２記載の発明によれば、本体に電源のインターロックを設け、容器をコップとコップ台により構成し、指等の触れることがないコップ台の凹部に設けた中継部品の先端によりコップの有無を検知してインターロックを解除するため、容器の組み立てが完全でないと電源が入らず、かつ容器の分解清掃が可能なミキサーを簡易に構成できるという効果が得られる。また、コップの形状が単純で薄肉部分がないためガラス製のコップにも適している。
【００３０】
請求項３記載の発明によれば、本体に電源のインターロックを設け、容器をコップとコップ台により構成し、指等の触れることがないコップ台の受け溝にある中継部品の先端によりコップの有無を検知してインターロックを解除するため、容器の組み立てが完全でないと電源が入らず、かつ容器の分解清掃が可能なミキサーを簡易に構成できるという効果が得られる。また、コップの形状が単純で薄肉部分がないためガラス製のコップにも適している。
【００３１】
請求項４記載の発明によれば、本体に電源のインターロックを設け、容器をコップとコップ台により構成し、指等の触れることがないコップ台の雌ネジ部に設けた切り欠き内にある中継部品の先端によりコップの有無を検知してインターロックを解除するため、容器の組み立てが完全でないと電源が入らず、かつ容器の分解清掃が可能なミキサーを簡易に構成できるという効果が得られる。また、コップの形状が単純で薄肉部分がないためガラス製のコップにも適している。
【００３２】
請求項５記載の発明によれば、コップ台にコップを取り付けていないと本体に嵌合しない干渉部品を設けているため、本体側にインターロックを設けなくてもコップ台単体でカッターが露出して回ることがなく、安価に安全な構成が得られる。
【図面の簡単な説明】
【図１】  本発明の参考例１におけるミキサーの一部切り欠き側面図
【図２】  同、ミキサーの横断面図
【図３】  本発明の実施例１におけるミキサーの一部切り欠き側面図
【図４】  同、ミキサーの横断面図
【図５】  本発明の実施例２におけるミキサーの一部切り欠き側面図
【図６】  同、ミキサーの横断面図
【図７】  本発明の実施例３におけるミキサーの一部切り欠き側面図
【図８】  同、ミキサーの横断面図
【図９】  同、ミキサーの斜視図
【図１０】  本発明の実施例４におけるミキサーの一部切り欠き側面図
【図１１】  同、ミキサーの横断面図
【図１２】  同、ミキサーの斜視図
【図１３】  本発明の実施例５におけるミキサーの一部切り欠き側面図
【図１４】  同、ミキサーの横断面図
【図１５】  同、ミキサーの縦断面図
【図１６】  従来のミキサーの一部切り欠き側面図
【図１７】  同、ミキサーの横断面図
【符号の説明】
９、３１、４４、５７、７１  本体
１３、２４、７５  カッター
１８、２９、４３、５６、７０  容器検知体
１１、２３、３４、４７、６０、７４  コップ台
１５、２６  カッター台
１７、２８、３５、５１、６４、７８  コップ
３８  パッキン
３９  凹部
４０、５５、６９  先端
４１、５４、６８  中継部品
４２  凸部
５２  受け溝
５３  腕部
６５  雌ネジ
６６  雄ネジ
６７  切り欠き
７１  ツノ
８０  干渉部品
【図１】
0003991486.tif 000002
【図２】
0003991486.tif 000003
【図３】
0003991486.tif 000004
【図４】
0003991486.tif 000005
【図５】
0003991486.tif 000006
【図６】
0003991486.tif 000007
【図７】
0003991486.tif 000008
【図８】
0003991486.tif 000009
【図９】
0003991486.tif 000010
【図１０】
0003991486.tif 000011
【図１１】
0003991486.tif 000012
【図１２】
0003991486.tif 000013
【図１３】
0003991486.tif 000014
【図１４】
0003991486.tif 000015
【図１５】
0003991486.tif 000016
【図１６】
0003991486.tif 000017
【図１７】
0003991486.tif 000018